(57)【要約】【課題】自分の運転する車が、自分の操作により前進しようとしているのかバックしようとしているのか、又、踏み込もうとしているペダルがアクセルなのかブレーキなのかをディスプレイに表示し、同時に、スピーカーからの判り易い言葉による音声案内の操作情報を併せて提供する事により、誤操作を防止する事を目的とする表示装置に関するものである。【解決手段】セレクターレバーの操作によるレンジスイッチ４からの信号、ブレーキペダル又はブレーキレバーの操作によるブレーキスイッチ５からの信号、そして、アクセルペダル部又はアクセルレバー部のセンサー６からの信号を受けたコントローラー３が、操作を表わすものを運転者の見易い場所に設けた表示ディスプレイ１に表示させ、同時に、それぞれの操作を知らせる為の判り易い言葉による音声案内を、運転者の聞こえ易い場所に設けたスピーカー２より行なわせることを特徴とする。【選択図】  図１
2004196276.tif 000002
【特許請求の範囲】
【請求項１】
セレクターレバーの操作によるレンジスイッチからの信号と、ブレーキペダル又はブレーキレバーの操作によるブレーキスイッチからの信号と、アクセルペダル部もしくはアクセルレバー部のセンサーからの信号を受けたコントローラーが、それぞれの操作を表わすものを表示ディスプレイに表示し、同時に、それぞれの部所の操作情報を知らせる為の判り易い言葉による音声案内をスピーカーを通して行わせる自動車用操作情報表示装置。
【請求項２】
セレクターレバーの操作によるレンジスイッチからの信号を受け、自動車が前進するのかバックするのか表示ディスプレイ上で表わすものを、その後方から照明を当てて表示する、もしくは、自身を発光させて表示することを特徴とする請求項１の自動車用操作情報表示装置。
【請求項３】
ブレーキペダル又はブレーキレバーの操作によるブレーキスイッチからの信号を受け、運転者が踏み込もうとしているペダルもしくはレバーが、ブレーキであることを表示ディスプレイ上で表わすものを、その後方から照明を当てて表示する、もしくは、自身を発光させて表示することを特徴とする請求項１の自動車用操作情報表示装置。
【請求項４】
アクセルペダル部のセンサー又はアクセルレバー部のセンサーからの信号を受け、運転者が踏み込もうとしているペダルもしくはレバーが、アクセルであることを表示ディスプレイ上で表わすものを、その後方から照明を当てて表示する、もしくは、自身を発光させて表示することを特徴とする請求項１の自動車用操作情報表示装置。
【発明の詳細な説明】
【０００１】
【発明の属する技術分野】
この発明は、自動車の運転操作において、セレクターレバー、ブレーキ、アクセル部からの信号をもとに、それぞれの部所の操作情報をディスプレイに表示させ、同時に、それぞれの部所の操作情報を知らせる為の判り易い言葉による音声案内を、スピーカーを通して行なわせることを特徴とする自動車用操作情報表示装置に関するものである。
【０００２】
【従来の技術】
従来には、自動車の制動確認を前方又は前側方から行なう場合、ブレーキペダルを踏むことで、後方位置の通常の制動灯と共に前方又は前側方を臨む位置に設けられた制動表示灯が、点灯して表示を行なう装置が使用されている。（例えば特許文献１参照）
又、自動制御システム搭載車において、制動動作を開始する前に運転者に認識させる方法として、シフトチェンジ信号を変速制御装置へ供給する前に、音声出力装置へシフトチェンジに関する案内情報を出力し、その旨を音声により運転者に案内する装置が使用されている。（例えば特許文献２参照）
【０００３】
【特許文献１】
特開平０６−２８６５２２号
【特許文献２】
特開平０９−２２６４０４号
【０００４】
【発明が解決しようとする課題】
上述した従来の技術においては、制動情報の表示を、自車以外の後方又は前方の車とか人に知らしめたり、シフトレバーのシフト位置又はセレクターレバーのレンジ位置を表示する方法・装置が使用されていたが、自分の操作により自車が前進するのかバックするのか、又、自分が踏み込もうとしているペダルがアクセルなのかブレーキなのかの表示又は案内はされなかった。
一部には、セレクターレバーのＲ（リバース）へのレンジセットによりブザー音を発するものもあるが、単調音なためラジオなどの音にかき消され、認識しにくい場合がある。
この発明は、以上の点に鑑み、自分の運転する車が、自分の操作により前進しようとしているのかバックしようとしているのか、又、自分が踏み込もうとしているペダルがアクセルなのかブレーキなのかをディスプレイに表示し、同時に、スピーカーからの判り易い言葉による音声案内の操作情報も併せて提供することにより、誤操作を防止する事を目的とした表示装置に関するものである。
【０００５】
【課題を解決するための手段】
上記課題を解決するため、この発明による自動車用操作情報表示装置を図１を参照しながら説明する。
運転者が、スタートキーによりエンジン始動後、ブレーキペダルを踏み込もうとした場合、ブレーキペダルに設けた、もしくは油圧式によるブレーキスイッチ５の働きにより、自動車の後部制動灯の点灯と併せてコントローラー３に送った信号が、運転者の見易い場所に設けた表示ディスプレイ１の表示面上のブレーキを表わすものを表示し、同時に、ブレーキを操作したことを知らせる為の言葉による音声案内を、運転者の聞こえ易い場所に設けたスピーカー２を通して行なわせる。
【０００６】
次に、セレクターレバーをＤ（ドライブモード）、Ｌ、２などの前進用のレンジにセットした場合、各レンジスイッチからコントローラー３に送った信号が、運転者の見やすい場所に設けた表示ディスプレイ１の表示面上の前進を表わすものを表示し、同時に、前進する旨を知らせる為の言葉による音声案内を、運転者の聞こえ易い場所に設けたスピーカー２を通して行なわせる。
【０００７】
逆に、セレクターレバーをＲ（リバース）のバック用のレンジにセットした場合、レンジスイッチからコントローラー３に送った信号が、運転者の見やすい場所に設けた表示ディスプレイ１の表示面上のバックを表わすものを表示し、同時に、バックする旨を知らせる為の言葉による音声案内をセレクターレバーがＲのレンジにセットしてある間中、運転者の聞こえ易い場所に設けたスピーカー２を通して行なう。
【０００８】
そして、車を動かす為にアクセルペダルに足を乗せようとした場合、運転者の足を感知する目的でアクセルペダル部に設けられたセンサー６からコントローラー３に送った信号が、運転者の見やすい場所に設けた表示ディスプレイ１の表示面上のアクセルを表わすものを表示し、同時に、アクセルである旨を知らせる為の判り易い言葉による音声案内を、運転者の聞こえ易い場所に設けたスピーカー２を通して行なわせる。
本発明は、以上の構成よりなる自動車用操作情報表示装置。
【０００９】
【発明の実施の形態】
この発明による自動車用操作情報表示装置の一実施例を、図を参照しながら説明すると、
【００１０】
図２は、この例のフローチャートを表わし、図３は、表示ディスプレイ１の表示面上の表示例を表わし、図４は、設置例を表わす。
先ず、ステップＳ−１の動作によりステップＳ−２に進むが、一表示例としての「ブレーキ」文字及びブレーキペダル図１０の如く表わしたものを、後方から照明を当てて表示する方法、もしくは、自身を発光させて表示する方法がある。
そして、ステップＳ−３と進むが、スピーカー２は運転者の最も聞こえ易い場所に設けるとよい。
【００１１】
次に、運転者はステップＳ−４に進むか、ステップＳ−７に進む訳だが、ステップＳ−５及びステップＳ−８の一表示例としての「前進」文字及び矢印７、「バック」文字及び矢印８の如く表わしたものを、後方から照明を当てて表示する方法、もしくは、自身を発光させて表示する方法がある。
【００１２】
そして、ステップＳ−６又はＳ−９を経由してステップＳ−１０に進む訳だが、運転者がアクセルを踏み込んでからでは事故を未然に防ぐことが出来ない為、ステップＳ−１０はアクセル操作の手前に必要であり、アクセルペダル部センサー６には赤外線などを用いるとよい。
次に、ステップＳ−１１に進むが、一表示例として「アクセル」文字及びアクセルペダル図１１の如く表わしたものを、後方から照明を当てて表示する方法、もしくは、自身を発光させて表示する方法がある。
【００１３】
又、ステップＳ−３、Ｓ−６、Ｓ−９、Ｓ−１２における音声案内は、例えば、「ブレーキです」とか「前進します」とか「バックします」とか「アクセルです」等のように、運転者に判り易い言葉でアナウンスを行なう。
【００１４】
【発明の効果】
以上説明したように、この発明においては、オートマチック車の普及の中、運転者が操作しようとしていることで自動車が動作を起こす前に、事前に目と耳の双方から操作情報を提供することで改めて認識させ、誤操作による事故を未然に防ごうとするものである。
特に軽自動車においては、アクセルペダルとブレーキペダルの間隔が狭く、踏み間違えたり不安になったりすることがある。
益々高齢化が進む中、勘違い操作・うっかり操作の増大も考えられ、二重三重の確認が必要とされる。
【図面の簡単な説明】
【図１】この発明による機能ブロック図である
【図２】この発明による一実施例のフローチャートである
【図３】この発明による一実施例の表示ディスプレイの表示面である
【図４】この発明による一実施例の設置図である
【符号の説明】
１  表示ディスプレイ
２  スピーカー
３  コントローラー
４  レンジスイッチ
５  ブレーキスイッチ
６  センサー
７  「前進」文字及び矢印
８  「バック」文字及び矢印
９  自動車図
１０  「ブレーキ」文字及びブレーキペダル図
１１  「アクセル」文字及びアクセルペダル図
【図１】
2004196276.tif 000003
【図２】
2004196276.tif 000004
【図３】
2004196276.tif 000005
【図４】
2004196276.tif 000006